(57)【要約】【目的】低コストな構成でジッタ補正を行うことが可能な通信システム、この通信システムが適用された受信装置、通信システムが形成される半導体装置、及び通信システムにおけるジッタ補正方法を提供することを目的とする。【構成】第１処理部が取得した情報データを担うデータパケットの各々を含むデータ信号を伝送路を介して第２処理部に送信するにあたり、第１処理部は、各データパケットの周期と基準周期との周期差を示す周期差情報を上記データ信号に挿入したものを第２処理部に送信する。第２処理部は、受信したデータ信号からデータパケットの各々を復元しつつ周期差情報を抽出し、この周期差情報にて示される周期差を基準周期に加算することにより目標周期を求める。そして、第２処理部は、復元したデータパケットの周期を測定して得た実測周期と目標周期との周期差をジッタ補正量として求め、復元されたデータパケットに対してこのジッタ補正量の分だけジッタを補正する。【選択図】図４
2014216877.tif 000002
【特許請求の範囲】
【請求項１】
情報データを担うデータパケットの系列を含むデータ信号を伝送路に送出する第１処理部と、前記伝送路を介して受信した前記データ信号から前記データパケットを復元する第２処理部と、を有する通信システムであって、
前記第１処理部は、前記データパケットの周期と基準周期との周期差を検出して当該周期差を示す周期差情報を前記データ信号に挿入する手段を含み、
前記第２処理部は、前記データ信号に挿入されている前記周期差情報を抽出し当該周期差情報にて示される前記周期差を前記基準周期に加算することにより目標周期を得る目標周期算出手段と、
前記復元されたデータパケットの周期を測定して実測周期を得る周期測定手段と、
前記目標周期と前記実測周期との周期差をジッタ補正量として得るジッタ補正量算出手段と、
前記復元されたデータパケットに対して前記ジッタ補正量の分だけジッタ補正を行うジッタ補正手段と、を有することを特徴とする通信システム。
【請求項２】
前記第２処理部は、受信した前記データ信号から抽出した前記周期差情報にて示される周期差を前記基準周期に加算した周期にて、前記データ信号から前記データパケットの各々を復元するパケット生成手段を更に含むことを特徴とする請求項１記載の通信システム。
【請求項３】
前記第１処理部は、前記基準周期に対応した時間を繰り返し計時し当該基準周期内での計時中の時点を示す第１の基準周期信号を生成する第１基準周期タイマを含み、
前記第２処理部は、前記基準周期に対応した時間を繰り返し計時し当該基準周期内での計時中の時点を示す第２の基準周期信号を生成する第２基準周期タイマと、前記第２の基準周期信号を前記伝送路に送出する送信手段と、を含み、
前記第１処理部は、前記周期差情報にて示される周期差から、前記第１の基準周期信号と前記伝送路を介して受信した前記第２の基準周期信号との周期差を差し引いたものを新たな周期差情報として前記データ信号に挿入することを特徴とする請求項２記載の通信システム。
【請求項４】
放送波を複数のアンテナで受信する受信装置であって、
前記アンテナ各々で受信して得られた高周波信号の各々に復調処理を施して夫々を合成して得られた信号を復号することによりデータパケットの系列を含む受信情報データ信号を得る復調復号手段、及び前記受信情報データ信号を伝送路に送出する第１送信手段を含む第１処理部と、
前記伝送路を介して受信した前記受信情報データ信号から前記データパケットの系列を復元する第２処理部と、を有し、
前記第１処理部は、前記データパケットの周期と基準周期との周期差を検出して当該周期差を示す周期差情報を前記受信情報データ信号に挿入する手段を更に含み、
前記第２処理部は、前記受信情報データ信号に挿入されている前記周期差情報を抽出し当該周期差情報にて示される前記周期差を前記基準周期に加算することにより目標周期を得る目標周期算出手段と、
前記復元されたデータパケットの周期を測定して実測周期を得る周期測定手段と、
前記目標周期と前記実測周期との周期差をジッタ補正量として得るジッタ補正量算出手段と、
前記復元されたデータパケットに対して前記ジッタ補正量の分だけジッタ補正を行うジッタ補正手段と、を更に含むことを特徴とする受信装置。
【請求項５】
前記第２処理部は、受信した前記受信情報データ信号から抽出した前記周期差情報にて示される周期差を前記基準周期に加算した周期にて、前記受信情報データ信号から前記データパケットの各々を復元するパケット生成手段を更に含むことを特徴とする請求項４記載の受信装置。
【請求項６】
前記第１処理部は、前記基準周期に対応した時間を繰り返し計時し当該基準周期内での計時中の時点を示す第１の基準周期信号を生成する第１基準周期タイマを含み、
前記第２処理部は、前記基準周期に対応した時間を繰り返し計時し当該基準周期内での計時中の時点を示す第２の基準周期信号を生成する第２基準周期タイマと、前記第２の基準周期信号を前記伝送路に送出する送信手段と、を含み、
前記第１処理部は、前記周期差情報にて示される周期差から、前記第１の基準周期信号と前記伝送路を介して受信した前記第２の基準周期信号との周期差を差し引いたものを新たな周期差情報として前記データ信号に挿入することを特徴とする請求項５記載の受信装置。
【請求項７】
情報データを担うデータパケットの系列を含むデータ信号を伝送路に送出する第１処理部が形成されている第１半導体チップと、前記伝送路を介して受信した前記データ信号から前記データパケットを復元する第２処理部が形成されている第２半導体チップと、を有する半導体装置であって、
前記第１処理部は、前記データパケットの周期と基準周期との周期差を検出して当該周期差を示す周期差情報を前記データ信号に挿入する手段を含み、
前記第２処理部は、前記データ信号に挿入されている前記周期差情報を抽出し当該周期差情報にて示される前記周期差を前記基準周期に加算することにより目標周期を得る目標周期算出手段と、
前記復元されたデータパケットの周期を測定して実測周期を得る周期測定手段と、
前記目標周期と前記実測周期との周期差をジッタ補正量として得るジッタ補正量算出手段と、
前記復元されたデータパケットに対して前記ジッタ補正量の分だけジッタ補正を行うジッタ補正手段と、を有することを特徴とする半導体装置。
【請求項８】
前記第２処理部は、受信した前記データ信号から抽出した前記周期差情報にて示される周期差を前記基準周期に加算した周期にて、前記データ信号から前記データパケットの各々を復元するパケット生成手段を更に含むことを特徴とする請求項７記載の半導体装置。
【請求項９】
前記第１処理部は、前記基準周期に対応した時間を繰り返し計時し当該基準周期内での計時中の時点を示す第１の基準周期信号を生成する第１基準周期タイマを含み、
前記第２処理部は、前記基準周期に対応した時間を繰り返し計時し当該基準周期内での計時中の時点を示す第２の基準周期信号を生成する第２基準周期タイマと、前記第２の基準周期信号を前記伝送路に送出する送信手段と、を含み、
前記第１処理部は、前記周期差情報にて示される周期差から、前記第１の基準周期信号と前記伝送路を介して受信した前記第２の基準周期信号との周期差を差し引いたものを新たな周期差情報として前記データ信号に挿入することを特徴とする請求項８記載の半導体装置。
【請求項１０】
情報データを担うデータパケットの系列を含むデータ信号を伝送路に送出する第１処理部と、前記伝送路を介して受信した前記データ信号から前記データパケットを復元する第２処理部と、を有する通信システムのジッタ補正方法であって、
前記第１処理部は、前記データパケットの周期と基準周期との周期差を検出して当該周期差を示す周期差情報を前記データ信号に挿入したものを前記伝送路に送出し、
前記第２処理部は、前記データ信号に挿入されている前記周期差情報に示される前記周期差を前記基準周期に加算することにより得た目標周期と、前記復元されたデータパケットの周期を測定して得られた実測周期との周期差をジッタ補正量として求め、前記復元されたデータパケットに対して前記ジッタ補正量の分だけジッタ補正を行うことを特徴とする通信システムのジッタ補正方法。
【発明の詳細な説明】
【技術分野】
【０００１】
本発明は、情報データの伝送を行う通信システム、この通信システムが適用された受信装置、通信システムが形成される半導体装置、及び通信システムにおけるジッタ補正方法に関する。
【背景技術】
【０００２】
複数のアンテナで放送波を受信する、例えば車載用のダイバーシティ受信装置は、車両の屋根又はリアガラスに設置した複数のアンテナと、車室内のセンターコンソールに設置した受信装置筐体と、各アンテナ及び受信装置筐体間を接続する複数のアンテナケーブルとから構成される。従って、車載用のダイバーシティ受信装置では、高周波伝送用であり且つケーブル長が長い複数のアンテナケーブルが必要となることから、高コスト化するという問題があった。
【０００３】
そこで、受信装置での受信処理を前段部と後段部とに分割し、前段部をアンテナ近傍に設置し、後段部を車室内のセンターコンソールに設置するようにした受信システムが提案された（例えば、特許文献１参照）。かかる受信システムの前段部では、各アンテナで放送波を受信して得られた高周波信号に対して周波数変換及び復調処理を施すことによりアンテナ毎に復調信号を得て、これらを多重化した信号を伝送ケーブルを介して後段部に送信する。一方、後段部では、受信した信号に対して復調及び復号処理を施すことにより、放送局から送信された音声、映像又は各種制御データを復元して出力するようにしている。
【０００４】
ここで、地上デジタル放送を受信する場合には、受信装置は、受信信号を放送局の送信装置で用いている基準周波数に追従させることで、復調後のデジタル信号の出力不足や誤りを抑制させるようにしている。また、かかるディジタル信号の時間軸方向での信号波形の揺らぎ、いわゆるジッタをＦＩＦＯ（First In, First Out）メモリ等を用いて吸収させることにより受信精度を高めるようにしている。
【０００５】
ところで、上記した車載用ダイバーシティ受信装置のような、アンテナ側の前段部で生成された信号を伝送ケーブルを介して車室内のセンターコンソールに設置した後段部に伝送するような構成では、前段部及び後段部の各々に、基準周波数を有する基準クロック信号を生成する為のクロック生成回路を設けることになる。この際、製造上のバラツキ又は環境温度の違いにより、前段部及び後段部各々で用いる基準クロック信号同士には周期ずれが生じる虞がある。
【０００６】
従って、上記した如き前段部及び後段部の間で通信を行うような構成を有する受信装置では、その通信動作に起因するジッタも重畳することになるので、ジッタ量が大きくなる場合がある。よって、このようなジッタをＦＩＦＯメモリで吸収させる為には、記憶容量が大なるＦＩＦＯメモリを用いる必要があり、コスト高を招くという問題があった。
【先行技術文献】
【特許文献】
【０００７】
【特許文献１】特開２０１２−７４９０５号公報
【発明の概要】
【発明が解決しようとする課題】
【０００８】
本願発明は、上記の如き問題を解決すべく為されたものであり、低コストな構成でジッタ補正を行うことが可能な通信システム、この通信システムが適用された受信装置、通信システムが形成される半導体装置、及び通信システムにおけるジッタ補正方法を提供することを目的とする。
【課題を解決するための手段】
【０００９】
本発明に係る通信システムは、情報データを担うデータパケットの系列を含むデータ信号を伝送路に送出する第１処理部と、前記伝送路を介して受信した前記データ信号から前記データパケットを復元する第２処理部と、を有する通信システムであって、前記第１処理部は、前記データパケットの周期と基準周期との周期差を検出して当該周期差を示す周期差情報を前記データ信号に挿入する手段を含み、前記第２処理部は、前記データ信号に挿入されている前記周期差情報を抽出し当該周期差情報にて示される前記周期差を前記基準周期に加算することにより目標周期を得る目標周期算出手段と、前記復元されたデータパケットの周期を測定して実測周期を得る周期測定手段と、前記目標周期と前記実測周期との周期差をジッタ補正量として得るジッタ補正量算出手段と、前記復元されたデータパケットに対して前記ジッタ補正量の分だけジッタ補正を行うジッタ補正手段と、を有する。
【００１０】
また、本発明に係る受信装置は、放送波を複数のアンテナで受信する受信装置であって、前記アンテナ各々で受信して得られた高周波信号の各々に復調処理を施して夫々を合成して得られた信号を復号することによりデータパケットの系列を含む受信情報データ信号を得る復調復号手段、及び前記受信情報データ信号を伝送路に送出する第１送信手段を含む第１処理部と、前記伝送路を介して受信した前記受信情報データ信号から前記データパケットの系列を復元する第２処理部と、を有し、前記第１処理部は、前記データパケットの周期と基準周期との周期差を検出して当該周期差を示す周期差情報を前記受信情報データ信号に挿入する手段を更に含み、前記第２処理部は、前記受信情報データ信号に挿入されている前記周期差情報を抽出し当該周期差情報にて示される前記周期差を前記基準周期に加算することにより目標周期を得る目標周期算出手段と、前記復元されたデータパケットの周期を測定して実測周期を得る周期測定手段と、前記目標周期と前記実測周期との周期差をジッタ補正量として得るジッタ補正量算出手段と、前記復元されたデータパケットに対して前記ジッタ補正量の分だけジッタ補正を行うジッタ補正手段と、を更に含む。
【００１１】
また、本発明に係る半導体装置は、情報データを担うデータパケットの系列を含むデータ信号を伝送路に送出する第１処理部が形成されている第１半導体チップと、前記伝送路を介して受信した前記データ信号から前記データパケットを復元する第２処理部が形成されている第２半導体チップと、を有する半導体装置であって、前記第１処理部は、前記データパケットの周期と基準周期との周期差を検出して当該周期差を示す周期差情報を前記データ信号に挿入する手段を含み、前記第２処理部は、前記データ信号に挿入されている前記周期差情報を抽出し当該周期差情報にて示される前記周期差を前記基準周期に加算することにより目標周期を得る目標周期算出手段と、前記復元されたデータパケットの周期を測定して実測周期を得る周期測定手段と、前記目標周期と前記実測周期との周期差をジッタ補正量として得るジッタ補正量算出手段と、前記復元されたデータパケットに対して前記ジッタ補正量の分だけジッタ補正を行うジッタ補正手段と、を有する。
【００１２】
本発明に係る通信システムのジッタ補正方法は、情報データを担うデータパケットの系列を含むデータ信号を伝送路に送出する第１処理部と、前記伝送路を介して受信した前記データ信号から前記データパケットを復元する第２処理部と、を有する通信システムのジッタ補正方法であって、前記第１処理部は、前記データパケットの周期と基準周期との周期差を検出して当該周期差を示す周期差情報を前記データ信号に挿入したものを前記伝送路に送出し、前記第２処理部は、前記データ信号に挿入されている前記周期差情報に示される前記周期差を前記基準周期に加算することにより得た目標周期と、前記復元されたデータパケットの周期を測定して得られた実測周期との周期差をジッタ補正量として求め、前記復元されたデータパケットに対して前記ジッタ補正量の分だけジッタ補正を行う。
【図面の簡単な説明】
【００１３】
【図１】本発明に係る通信システムが適用された車載用ダイバーシティ受信装置を示すブロック図である。
【図２】第１受信処理部２の内部構成を示すブロック図である。
【図３】第１受信処理部２及び第２受信処理部４の内部動作を示すタイムチャートである。
【図４】第２受信処理部４の内部構成を示すブロック図である。
【図５】第１受信処理部２の他の内部構成を示すブロック図である。
【図６】第２受信処理部４の他の内部構成を示すブロック図である。
【発明を実施するための形態】
【００１４】
図１は、本発明に係る通信システムを車載用ダイバーシティ受信装置に適用した場合での構成を示すブロック図である。
【００１５】
図１に示す車載用ダイバーシティ受信装置は、車両の例えばリアウインドウ（又はフロントウィンドウ）に設置されたｎ個（ｎは２以上の整数）のアンテナ１1〜１n、アンテナ１1〜１nの近傍に設置されている第１受信処理部２、伝送ケーブル３、及び車両室内のセンターコンソールに設置された第２受信処理部４とからなる。尚、この車載用ダイバーシティ受信装置は、例えば「Ｈ.２６４／ＭＰＥＧ−４  ＡＶＣ」又は「ＭＰＥＧ−２」等の動画圧縮規格に従ってＭＰＥＧ（Moving Picture Experts Group）データ化された映像及び音声データにＯＦＤＭ（Orthogonal Frequency Division Multiplexing）変調が施された放送波を受信するものである。また、第１受信処理部２は第１の半導体チップに形成され、第２処理部４は、この第１の半導体チップとは別の第２の半導体チップに形成されているものである。
【００１６】
図２は、第１受信処理部２の内部構成の一例を示すブロック図である。
【００１７】
図２において、アンテナ１1〜１nは夫々個別に放送波を受信して得られた高周波信号Ｒ1〜Ｒnを、夫々個別の高周波伝送用ケーブルを介して第１受信処理部２に供給する。
【００１８】
第１受信処理部２は、基準クロック生成回路２０、復調・復号処理回路２１、基準周期タイマ２２、周期差検出回路２３、フレーム生成回路２４、変調回路２５、送信アンプ２６、コンデンサ２７及び電源電圧導出回路２８を含む。
【００１９】
基準クロック生成回路２０は、所定の一定周波数の基準クロック信号ＣＫ１を生成し、これを、復調・復号処理回路２１に供給する。
【００２０】
復調・復号処理回路２１は、先ず、高周波信号Ｒ1〜Ｒnの各々を、視聴を希望する放送局の周波数帯域にダウンコンバートすることにより、高周波信号Ｒ1〜Ｒn夫々に対応したｎ個の中間周波数信号を夫々得る。次に、復調・復号処理回路２１は、これら中間周波数信号を重み付け加算（又は減算）することにより合成して合成受信信号を得る。次に、復調・復号回路２１は、基準クロック信号ＣＫ１のタイミングで、上記した合成受信信号に対して放送波の変調方式に対応した復調処理を施すことにより復調データを得る。そして、復調・復号回路２１は、この復調データに対して、例えば「Ｈ.２６４／ＭＰＥＧ−４  ＡＶＣ」又は「ＭＰＥＧ−２」等の動画圧縮符号化技術に従った復号処理を施す。
かかる復号処理により、復調・復号回路２１は、ＭＰＥＧ形式にて情報データが時系列にてパケット化された、図３に示す如きデータパケットＤＰの系列からなる受信情報データＲＸを生成する。この際、データパケットＤＰの周期は、基準クロック信号ＣＫ１に基づく基準周期となるが、基準クロック信号ＣＫ１に生じているジッタに伴い、互いに時間的に隣接するデータパケットＤＰ同士の間に存在するブランク期間が変化する。つまり、かかるジッタに伴い、データパケットＤＰの周期が変動することになる。
【００２１】
復調・復号処理回路２１は、上記した受信情報データＲＸを周期差検出回路２３及びフレーム生成回路２４に供給する。
【００２２】
基準周期タイマ２２は、基準周期ＴRFに対応した時間を繰り返し計時する自走タイマであり、基準周期ＴRF内における計時中の時点を示す基準周期信号ＴＭを周期差検出回路２３に供給する。すなわち、基準周期信号ＴＭが、ある時点ｔ１を示してから計時が進行し、再び時点ｔ１を示す状態に到るまでの期間が基準周期ＴRFとなる。
【００２３】
周期差検出回路２３は、先ず、受信情報データＲＸ中からデータパケットＤＰ各々の周期と、基準周期信号ＴＭに基づく基準周期ＴRFとの周期差を各データパケット毎に検出する。例えば、図３に示す一例において、受信情報データＲＸ中のデータパケットＤＰ1及びＤＰ2の区間では、ＤＰ1の先頭から基準周期ＴRFだけ経過した時点ＱＲ1に対して、ＤＰ2の先頭部の位相がｅ1だけ進んでいる。よって、この際、周期差検出回路２３は、データパケットＤＰ1に対応した周期差として、この進み位相を示す周期差ｅ1を検出する。又、データパケットＤＰ2及びＤＰ3の区間では、ＤＰ2の先頭から基準周期ＴRFだけ経過した時点ＱＲ2に対して、ＤＰ3の先頭部の位相がｅ2だけ遅れている。よって、この際、周期差検出回路２３は、データパケットＤＰ2に対応した周期差として、この遅れ位相を示す周期差ｅ2を検出する。
【００２４】
すなわち、周期差検出回路２３は、受信情報データＲＸ自体に生じているジッタ（第１のジッタと称する）の量を検出する為に、各データパケットＤＰの周期と基準周期ＴRFとの周期差を検出するのである。そして、周期差検出回路２３は、かかる周期差を示す周期差情報ｅをフレーム生成回路２４に供給する。
【００２５】
フレーム生成回路２４は、先ず、受信情報データＲＸ中のデータパケットＤＰの各々を順次、内蔵メモリ（図示せぬ）に記憶する。次に、フレーム生成回路２４は、基準クロック信号ＣＫ１よりも高いビットレートで内蔵メモリからデータパケットＤＰを読み出したものを伝送データブロックＤＤＰとする。そして、フレーム生成回路２４は、図３に示す如く、この伝送データブロックＤＤＰの最後尾に当該ＤＤＰに対応した周期差情報ｅ、及びブランク期間ＢＬを順に付加してなるフレームを生成し、かかるフレームの系列からなる受信情報データ信号ＦＲを変調回路２５に供給する。
【００２６】
変調回路２５は、受信情報データ信号ＦＲに対して、例えば放送波の変調と同一のＯＦＤＭ変調、或いはＱＰＳＫ（Quadrature Phase Shift Keying）変調、ＱＡＭ（quadrature amplitude modulation）等のディジタル変調を施して得た受信情報変調信号ＲＭを送信アンプ２６に供給する。送信アンプ２６は、受信情報変調信号ＲＭを増幅して得られた受信情報変調信号ＲＴＸをコンデンサ２７及び伝送ケーブル３を介して第２受信処理部４に送信する。
【００２７】
尚、伝送ケーブル３は、かかる受信情報変調信号ＲＴＸを伝送する信号ラインと、接地ラインと、を含む２芯のケーブルである。コンデンサ２７の一端は伝送ケーブル３の信号ラインに接続されており、他端はラインＬ１を介して送信アンプ２６の出力端子に接続されている。コンデンサ２７は、伝送ケーブル３の信号ライン上の直流成分がラインＬ１に流れ込むのを遮断する。電源電圧導出回路２８は、伝送ケーブル３の信号ライン上に重畳されている直流の電源電圧ＶＤＤを導出する。そして、電源電圧導出回路２８は、かかる電源電圧ＶＤＤを、基準クロック生成回路２０、復調・復号処理回路２１、基準周期タイマ２２、周期差検出回路２３、フレーム生成回路２４、変調回路２５及び送信アンプ２６の各々を動作させる電源として、夫々に供給する。
【００２８】
図４は、第２受信処理部４の内部構成の一例を示すブロック図である。図４に示すように、第２受信処理部４は、電源電圧生成回路４０、コンデンサ４１、受信アンプ４２、復調回路４３、周期差情報抽出回路４４、パケット生成回路４５、基準クロック生成回路４６、ジッタ補正回路４７、目標周期算出回路４８、ジッタ補正量算出回路４９、周期測定回路５０及び受信データデコーダ５１を含む。
【００２９】
図４において、電源電圧生成回路４０は、第２受信処理部４内の上記した各モジュール（４２〜５１）を動作させる電源として直流の電源電圧ＶＤＤを生成し、夫々に供給する。更に、電源電圧生成回路４０は、かかる電源電圧ＶＤＤを伝送ケーブル３の信号ラインに印加することにより、電源電圧ＶＤＤを第１受信処理部２に供給する。
【００３０】
コンデンサ４１の一端は伝送ケーブル３の信号ラインに接続されており、他端はラインＬ２を介して受信アンプ４２の入力端子に接続されている。コンデンサ４１は、伝送ケーブル３の信号ライン上の直流成分がラインＬ２に流れ込むのを遮断する。
【００３１】
受信アンプ４２は、伝送ケーブル３及びコンデンサ４１を介して第１受信処理部２から送信されてきた受信情報変調信号を受け、これを増幅して得られた受信情報変調信号ＲＲを復調回路４３に供給する。復調回路４３は、受信情報変調信号ＲＲに対して、第１受信処理部２の変調回路２５での変調処理に対応した復調処理を施すことにより、図３に示す如き受信情報データ信号ＦＲを復元して得られた受信情報データ信号ＲＤを、周期差情報抽出回路４４及びパケット生成回路４５に供給する。
【００３２】
周期差情報抽出回路４４は、図３に示す如き受信情報データ信号ＲＤ中から周期差情報ｅを抽出しこれをパケット生成回路４５及び目標周期算出回路４８に供給する。基準クロック生成回路４６は、基準クロック信号ＣＫ１の周波数と同一周波数の基準クロック信号ＣＫ２を生成し、これをパケット生成回路４５及びジッタ補正回路４７に供給する。
【００３３】
パケット生成回路４５は、先ず、受信情報データ信号ＲＤ中の伝送データブロックＤＤＰの各々を順次、内蔵メモリ（図示せぬ）に記憶する。次に、パケット生成回路４５は、この内蔵メモリに記憶されている伝送データブロックＤＤＰの各々を、基準周期ＴRFに周期差情報ｅに示される周期差を加算した周期で、且つ基準クロック信号ＣＫ２に応じたビットレートで読み出すことにより、第１受信処理部２側で取得された受信情報データＲＸ中のデータパケットＤＰの系列を復元する。
【００３４】
ところで、第１受信処理部２で用いられている基準クロック信号ＣＫ１及び第２受信処理部４で用いられている基準クロック信号ＣＫ２は、共に同一周波数のクロック信号である。しかしながら、基準クロック信号ＣＫ１及びＣＫ２は、互いに異なる基準クロック生成回路（２０、４６）によって生成されているので、両者の間には、製造上のバラツキ或いは環境温度の差に起因する周期ずれが生じる場合がある。よって、受信情報データ信号ＰＤには、第１受信処理部２の復調・復号処理回路２１で生成された受信情報データＲＸ自体に生じている第１のジッタに、基準クロック信号ＣＫ１及びＣＫ２同士の周期ずれに起因する第２のジッタが重畳したジッタが生じている可能性がある。
【００３５】
パケット生成回路４５は、このような第１のジッタに第２のジッタが加わったジッタが生じている受信情報データ信号ＰＤを、ジッタ補正回路４７及び周期測定回路５０に供給する。
【００３６】
目標周期算出回路４８は、基準周期ＴRFに周期差情報ｅにて示される周期差を加算することにより目標周期ｆｔを得て、これをジッタ補正量算出回路４９に供給する。例えば、図３に示す一例では、受信情報データ信号ＰＤ中のデータパケットＤＰ1に対応した周期差情報ｅが進み位相の周期差ｅ1を示すので、目標周期算出回路４８は、データパケットＤＰ1に対応した目標周期として、基準周期ＴRFから周期差ｅ1を差し引いてなる目標周期ｆｔ1を得る。又、データパケットＤＰ2に対応した周期差情報ｅが遅れ位相の周期差ｅ2を示すので、目標周期算出回路４８は、データパケットＤＰ2に対応した目標周期として、基準周期ＴRFに周期差ｅ2を加えてなる目標周期ｆｔ2を得る。
【００３７】
周期測定回路５０は、受信情報データ信号ＰＤ中において互いに隣接するデータパケットＤＰ同士の周期、つまりデータパケットＤＰNの先頭から、データパケットＤＰN+1の先頭までの期間を実測周期ｆとして測定し、これをジッタ補正量算出回路４９に供給する。
【００３８】
ジッタ補正量算出回路４９は、目標周期ｆｔと実測周期ｆとの周期差を、上記した第２のジッタ量として算出し、この算出結果の平均値をジッタの補正量を示すジッタ補正量ＪＣとしてジッタ補正回路４７に供給する。例えば、図３に示す一例では、受信情報データ信号ＰＤ中のデータパケットＤＰ1に対応した実測周期及び目標周期は夫々実測周期ｆ1及び目標周期ｆｔ1であるので、ジッタ補正量算出回路４９は、実測周期ｆ1及び目標周期ｆｔ1同士の差をジッタ量Ｊ1として得る。また、データパケットＤＰ2に対応した実測周期及び目標周期は夫々実測周期ｆ2及び目標周期ｆｔ2であるので、ジッタ補正量算出回路４９は、実測周期ｆ2及び目標周期ｆｔ2同士の差をジッタ量Ｊ2として得る。そして、ジッタ補正量算出回路４９は、これらジッタ量Ｊ1及びＪ2の平均値をジッタ補正量ＪＣとしてジッタ補正回路４７に供給する。
【００３９】
ジッタ補正回路４７は、先ず、パケット生成回路４５から供給された受信情報データ信号ＰＤを、内蔵のＦＩＦＯメモリ（図示せぬ）に記憶する。そして、ジッタ補正回路４７は、このＦＩＦＯメモリに記憶されている受信情報データ信号ＰＤ中の各データパケットＤＰの時間位置を、ジッタ補正量ＪＣの分だけずらしたタイミングで読み出し、これをジッタ補正受信情報データ信号ＪＤとして受信データデコーダ５１に供給する。かかる動作により、ジッタ補正回路４７は、受信情報データ信号ＰＤ中に重畳して生じている第１及び第２のジッタの内から、基準クロック信号ＣＫ１及びＣＫ２同士の周期ずれに起因する第２のジッタだけを除去する。
【００４０】
受信データデコーダ５１は、例えばＭＰＥＧデコーダであり、ＭＰＥＧデータとしての受信情報データ信号ＲＤに対してＭＰＥＧ復号処理を施すことにより、放送局側から送信されてきた情報データとしての映像及び音声データを得る。尚、映像データは、表示装置（図示せぬ）に供給され、音声データはＤ／Ａ変換器、アンプ及びスピーカ等からなる音響出力装置（図示せぬ）に供給される。
【００４１】
以下に、図２及び図４に示される車載用ダイバーシティ受信装置におけるジッタ補正動作について説明する。
【００４２】
先ず、図２に示す第１受信処理部２の周期差検出回路２３が、復調・復号処理回路２１で生成された受信情報データＲＸ自体に生じている第１のジッタに対応した周期差を示す周期差情報ｅを生成する。第１受信処理部２は、受信情報データＲＸに含まれる各データパケットＤＰに、そのデータパケットに対応した周期差情報ｅを付加したものを高ビットレートでフレーム化した受信情報データ信号ＦＲを第２受信処理部４に送信する。受信情報データ信号ＲＤを受信すると、第２受信処理部４のパケット生成回路４５は、この受信情報データ信号から、上記した受信情報データＲＸと同一形態にてデータパケットＤＰが配列された受信情報データ信号ＰＤを復元する。つまり、受信情報データ信号ＰＤのデータパケットＤＰの系列中には、受信情報データＲＸ自体に生じている第１のジッタと共に、基準クロック信号ＣＫ１及びＣＫ２同士の周期ずれに起因する第２のジッタが生じている。ここで、第２受信処理部４は、受信情報データ信号ＲＤから周期差情報ｅを抽出し、これに基準周期ＴRFを加算することにより、第１のジッタ分を含む目標周期ｆｔを得る。更に、第２受信処理部４は、上記した受信情報データ信号ＰＤ中のデータパケット各々の周期を測定して実測周期ｆを得る。尚、実測周期ｆには、第１のジッタと共に第２のジッタが含まれている。よって、目標周期ｆｔと実測周期ｆとの差が、基準クロック信号ＣＫ１及びＣＫ２同士の周期ずれに起因する第２のジッタの量となる。そこで、第２受信処理部４では、目標周期ｆｔと実測周期ｆとの差によってジッタ補正量ＪＣ（又はＪ）を求め、かかるジッタ補正量の分だけ受信情報データ信号ＰＤに対してジッタ補正を行うことにより、この受信情報データ信号ＰＤ中から第２のジッタだけを除去する。
【００４３】
すなわち、第１処理部（２）が取得した情報データ（ＲＸ）を担うデータパケット（ＤＰ）の各々を含むデータ信号（ＦＲ、ＲＭ、ＲＴＸ）を伝送路（３）を介して第２処理部（４）に送信するにあたり、第１処理部は、各データパケットの周期と基準周期（ＴRF）との周期差を示す周期差情報（ｅ）を上記データ信号に挿入したものを第２処理部に送信する。第２処理部は、受信したデータ信号からデータパケットの各々を復元しつつ周期差情報を抽出し、この周期差情報にて示される周期差を基準周期に加算することにより目標周期（ｆｔ）を求める。次に、第２処理部は、復元したデータパケットの周期を測定して得た実測周期（ｆ）と目標周期との周期差をジッタ補正量（Ｊ、ＪＣ）、つまり第１及び第２処理部で用いられる基準クロック信号（ＣＫ１、ＣＫ２）同士の周期ずれに起因して生じるジッタに対する補正量として求める。そして、第２処理部は、上記の如く復元したデータパケットに対して、このジッタ補正量の分だけジッタ補正を行うのである。
【００４４】
要するに、本発明では、第１処理部２において取得された受信情報データＲＸ自体に生じている第１のジッタに関しては動作許容範囲に含まれるものと判断して、ジッタ補正の対象から外すようにしたのである。
【００４５】
かかる構成によれば、第１処理部で用いられる基準クロック信号及び第２処理部で用いられる基準クロック信号同士の周期ずれに起因する第２のジッタだけがジッタ補正の対象となる。よって、上記した第１のジッタ分に対するジッタ補正は行わなくても良いので、ジッタ補正回路４７においてジッタを吸収する為に必要となる例えばＦＩＦＯメモリの記憶容量を小さくすることが可能となる。従って、ＦＩＦＯメモリの記憶容量を抑えることにより、装置規模の小型化及び低コスト化を図ることが可能となる。
【００４６】
尚、上記実施例では、第２受信処理部４のジッタ補正回路４７によって第２のジッタを除去すべき補正を行うようにしているが、パケット生成回路４５におけるパケット生成の段階で第２のジッタを除去するようにしても良い。
【００４７】
図５及び図６は、かかる点に鑑みて為された、本発明に係る他の通信システムが適用された車載用ダイバーシティ受信装置の構成を示すブロック図である。尚、図５は図１に示される第１受信処理部２の他の構成、図６は第２受信処理部４の他の構成を夫々示すブロック図である。
【００４８】
図５に示される第１受信処理部２は、周期差検出回路２３に代えて周期差検出回路２３０を採用すると共に、受信アンプ２０１、基準周期差検出回路２０２、及び周期差補正回路２０３を新たに設けた点を除く他の構成は、図２に示すものと同一である。
【００４９】
図５において、受信アンプ２０１の入力端子はラインＬ１に接続されている。受信アンプ２０１は、第２受信処理部４から送出された基準周期信号（後述する）を、伝送ケーブル３、コンデンサ２７及びラインＬ１を介して受け、これを増幅した基準周期信号ＴＭaを基準周期差検出回路２０２に供給する。
【００５０】
基準周期差検出回路２０２は、基準周期タイマ２２から供給された基準周期信号ＴＭと、第２受信処理部４から送信されてきた基準周期信号ＴＭaとの周期差を検出し、この周期差を基準周期差ＣＴとして周期差補正回路２０３に供給する。すなわち、基準周期差検出回路２０２は、基準クロック信号ＣＫ１及びＣＫ２同士の周期ずれに起因する基準周期のずれ量を示す基準周期差ＣＴを周期差補正回路２０３に供給するのである。
【００５１】
周期差検出回路２３０は、受信情報データＲＸ中からデータパケットＤＰ各々の周期と、基準周期タイマ２２から供給された基準周期信号ＴＭに基づく基準周期ＴRFとの差を周期差ｅｘとして各データパケット毎に検出し、これを周期差補正回路２０３に供給する。
【００５２】
周期差補正回路２０３は、上記した周期差ｅｘに対して、基準周期差ＣＴの分を差し引くべき補正を施して得られた周期差を示す周期差情報ｅを、フレーム生成回路２４に供給する。つまり、周期差補正回路２０３は、周期差ｅｘから、基準クロック信号ＣＫ１及びＣＫ２同士の周期ずれに起因する基準周期のずれ分を差し引いた周期差を求め、この周期差を示す周期差情報ｅをフレーム生成回路２４に供給するのである。
【００５３】
よって、第１受信処理部２は、上記の如き周期差情報ｅを含む受信情報データ信号ＦＲを図６に示される第２受信処理部４に送信することになる。
【００５４】
図６に示される第２受信処理部４では、基準周期タイマ４０１及び送信アンプ４０２を新たに設けた点を除く他の構成は、図４に示すものと同一である。図６において、基準周期タイマ４０１は、基準クロック信号ＣＫ２に応じて、基準周期ＴRFに対応した時間を繰り返し計時する自走タイマであり、基準周期ＴRF内における計時中の時点を示す基準周期信号を送信アンプ４０２に供給する。送信アンプ４０２は、かかる基準周期信号を増幅し、これをコンデンサ４１及び伝送ケーブル３を介して第１受信処理部２に送信する。
【００５５】
以下に、図５及び図６に示される車載用ダイバーシティ受信装置において為されるジッタ補正動作について説明する。
【００５６】
先ず、図６に示す第２受信処理部４は、この第２受信処理部４内で用いる基準クロック信号ＣＫ２に基づき基準周期ＴRFを目標として生成した基準周期信号を、第１受信処理部２に送信する。
【００５７】
第１受信処理部２では、先ず、この第１受信処理部２内でのデータパケットの基準周期を示す基準周期信号ＴＭと、第２受信処理部４内でのデータパケットの基準周期を示す基準周期信号ＴＭａとの基準周期差ＣＴを求める。次に、第１受信処理部２は、受信情報データＲＸ中のデータパケットＤＰの周期と基準周期信号ＴＭとの周期差ｅｘから、基準周期差ＣＴを差し引いた周期差を求める。つまり、第１受信処理部２は、かかる周期差ｅｘから、基準クロック信号ＣＫ１及びＣＫ２同士の周期ずれに起因する基準周期のずれ分（ＣＴ）を差し引いた周期差を求める。そして、第１受信処理部２は、この周期差を示す周期差情報ｅを各データパケットＤＰに付加したものを高ビットレートの情報データ信号として第２受信処理部４に送信する。すると、第２受信処理部４のパケット生成回路４５は、受信した情報データ信号を一旦取り込んで記憶し、これを、（基準周期ＴRF＋周期差情報ｅに示される周期差）の周期で、且つ基準クロック信号ＣＫ２に応じたビットレートで読み出すことにより、データパケットＤＰの系列からなる受信情報データ信号ＰＤを復元する。この際、周期差情報ｅは、受信情報データＲＸ自体に生じている第１ジッタに対応した周期差ｅｘから、基準クロック信号ＣＫ１及びＣＫ２同士の周期ずれに起因して生じる第２ジッタ分を差し引いた周期差を示すものである。よって、パケット生成回路４５が、周期差情報ｅにて示される周期差を反映させた周期でデータパケットＤＰ各々を時系列に配列することにより、第２ジッタ分の除去された受信情報データ信号ＰＤが得られることになる。
【００５８】
従って、図５及び図６に示す構成によれば、ジッタ補正回路４７で補正すべきジッタの量が少なくなるので、図２及び図４に示す構成を採用した場合に比して小さな記憶容量のＦＩＦＯメモリを採用することが可能となり、装置規模の縮小化が図られるようになる。      
【００５９】
尚、受信情報データ信号ＰＤの段階で、第１の基準周期と第２の基準周期との周期差（ＣＴ）に伴うジッタを規定量よりも低減出来るならば、図６に示される第２受信処理部４内に含まれる目標周期算出回路４８、周期測定回路５０、ジッタ補正回路４７及びジッタ補正量算出回路４９を省くようにしても良い。
【００６０】
又、上記実施例では、第１受信処理部２及び第２受信処理部４間の通信を伝送ケーブル３の如き金属線で行うようにしているが、両者間の通信を無線通信で行うようにしても良い。要するに、本発明においては、金属伝送路又は無線伝送路等の伝送路を介して第１受信処理部２及び第２受信処理部４間の通信を行う構成となっていれば良いのである。
【符号の説明】
【００６１】
２            第１受信処理部
３            伝送ケーブル
４            第２受信処理部
２０、４６    基準クロック生成回路
２３          周期差検出回路
２４          フレーム生成回路
４４          周期差情報抽出回路
４５          パケット生成回路
４７          ジッタ補正回路
４８          目標周期算出回路
４９          ジッタ補正量算出回路
５０          周期測定回路
【図１】
2014216877.tif 000003
【図２】
2014216877.tif 000004
【図３】
2014216877.tif 000005
【図４】
2014216877.tif 000006
【図５】
2014216877.tif 000007
【図６】
2014216877.tif 000008